(57)【特許請求の範囲】
【請求項１】
主桁上に架設されたコンクリート製の旧床版に切り目を入れて形成する分割床版をその周囲の接触面から縁切りするための床版分離装置において、前記分割床版の外部にある床版上に相互の斜面先端部を対向して載置する少なくとも一対の楔状滑り架台と、上下面に滑り面を設けこの架台斜面上に移動可能に載置する送りコマと、一対の送りコマに両端を支持しながら前記分割床版上を架け渡す梁材と、この梁材と前記分割床版との間に介在する反力架台と、前記分割床版を前記梁材に連結する緊結鋼材と、一端をこの反力架台に固定し他端に結合する前記送りコマを前記楔状滑り架台の斜面に沿って上昇し得るジャッキを備えることを特徴とする床版分離装置。
【発明の詳細な説明】
【０００１】
【発明の属する技術分野】
この発明は、橋梁などの主桁上に架設されたコンクリート製の旧床版を撤去して新床版を据え付ける際に用いる装置であって、旧床版に切り目を入れて分割された床版を周辺から縁切りして分離するための床版分離装置に関するものである。
【０００２】
【従来の技術】
構築後多年経過した鋼橋のコンクリート製床版は、その老朽化に伴って旧床版の撤去及び新床版の据付工事を行なう必要がある。旧床版としては主桁に支持される鉄筋コンクリート製の床版が多いため、撤去に際してはこれを所定の大きさに切断して搬出しなければならない。又床版は主桁フランジとジベル筋等で一体に接続しているので、この部分をコンクリートブレーカやコアカッターあるいは膨張材注入による静的破壊によって解放してから、ジャッキにより押し上げて主桁からの分離を確認した後、旧床版に吊具を取り付けて撤去している。
【０００３】
ここで特許文献１に記載される従来の床版分離装置を図５に基き説明する。床版分離に際しては、先ず所定箇所にコンクリートカッター等で切れ目を入れジベル筋等を切断して分割床版１０２を形成する。この分割床版１０２を主桁等の周囲の接触面から縁切りするための従来の床版分離装置１０１は、分割床版１０２の両側に置かれた台１０３と、これらに支持され分割床版１０２をまたいだ状態で設置する梁材１０４と、この梁材１０４上に設ける一対のジャッキ１０５，１０５と、各ジャッキ１０５及び分割床版１０２を挿通するＰＣ鋼棒１０６から構成されていた。
【０００４】
ＰＣ鋼棒１０６はジャッキ１０５の作用により上下動し得るもので、梁材１０４及び分割床版１０２に穿設した孔部もしくは間隙を貫通しており、分割床版１０２の下面より突出する先端には座金１０６ａ及びナット１０６ｂが取り付けられていた。
【０００５】
分割床版１０２を縁切りする際には、ジャッキ１０５を作動させてその下面を引き上げ、分割床版１０２を主桁から分離した後、ＰＣ鋼棒１０６を下降させて主桁上に一旦降ろし、床版分離装置１０１を移動させた後、分割床版１０２に穿設した孔部に吊具を取り付けてクレーンにより吊り上げて撤去していた。
【０００６】
【特許文献１】
特開平９−５９９１９号公報（図４）
【０００７】
【発明が解決しようとする課題】
しかし、従来の床版分離装置１０１は、ジャッキ１０５で分割床版１０２を直接引き上げる構成であったため分離の際に作用するジャッキ１０５の荷重が大きくなる欠点があった。又分割床版１０２を均等に引き上げるためには複数のジャッキ１０５の引き上げ長さを調整しながら行なわねばならないが、この長さの差が直接床版変位の差となるため、断続的に操作を行なわねばならず作業が煩雑となる欠点があった。
【０００８】
この発明は、従来の床版分離装置が有する問題点を解消すべくなされたものであり、ジャッキの荷重が小さいものでも分離作業が実施可能で、しかもジャッキの長さ調整を頻繁に行なわなくとも均等に床版を引き上げることができる床版分離装置を提供することを目的としている。
【０００９】
【課題を解決するための手段】
上記課題を解決するため、この発明の床版分離装置は、主桁上に架設されたコンクリート製の旧床版に切り目を入れて形成する分割床版をその周囲の接触面から縁切りするための床版分離装置において、前記分割床版の外部にある床版上に相互の斜面先端部を対向して載置する少なくとも一対の楔状滑り架台と、上下面に滑り面を設けこの架台斜面上に移動可能に載置する送りコマと、一対の送りコマに両端を支持しながら前記分割床版上を架け渡す梁材と、この梁材と前記分割床版との間に介在する反力架台と、前記分割床版を前記梁材に連結する緊結鋼材と、一端をこの反力架台に固定し他端に結合する前記送りコマを前記楔状滑り架台の斜面に沿って上昇し得るジャッキを備えることを特徴とするものである。
【００１０】
一対の楔状滑り架台は、その位置が固定されるよう例えば外周に繋ぎ枠材を装着する。なおこの枠材に移動用車輪を設けてもよい。送りコマは上面が水平で下面が楔状滑り架台と同一勾配の斜面を有する台形状の部材であって、梁材の下面及び滑り架台の斜面に接しながら移動する。この移動の際に接触面に摩擦が生ずるのでこれを減じるため、送りコマの滑り面及び／又は梁材下面・滑り架台斜面にテフロン（登録商標）板等の滑動補助材を貼着する。
【００１１】
梁材は反力架台を固着し緊結鋼材により連結された分割床版とも一体に挙動する。従って送りコマが滑り架台斜面を上昇すると梁材端部が押し上げられ同時に分割床版も上昇する。ジャッキの押出長さに比べ梁材の上昇率は僅かであるため、均等に押し上げるためのジャッキの長さ調整は比較的簡易である。
【００１２】
一般に摩擦抵抗力を小さくして、しかも滑り架台斜面の勾配を小さいものに設定すれば、より少ないジャッキ力で必要な引き上げ力を付与することができる。必要な引き上げ力Ｐに対し、これを０．８Ｐ程度のジャッキ力で実現するためには、滑り架台斜面の勾配は２０°以下が望ましく、摩擦係数はμ＝０．１以下が望ましい。
【００１３】
【発明の実施の形態】
次にこの発明の実施の形態を添付図面に基づき詳細に説明する。図１は床版分離装置の平面図、図２は図１のII−II断面を示す断面図である。床版分離装置１は、分割床版２に隣接する床版３，３上に載置する一対の楔状滑り架台４，４と、各架台斜面４ａ上に載置する送りコマ５，５と、この送りコマ５に両端を支持する梁材６と、梁材６の下面にあって分割床版２との間に介在する反力架台７と、分割床版２を梁材６に連結する緊結鋼材８と、一端を反力架台７に固定し他端を各送りコマ５にピン結合する一対のジャッキ９，９からなる。
【００１４】
一対の楔状滑り架台４，４は、相互の間隔がずれないよう外周に繋ぎ枠材１０を装着して固定する。なおこの繋ぎ枠材１０に取外し可能な移動用車輪１１を設けると、床版分離後の装置移動が容易になる。送りコマ５は上面５ａが水平で下面５ｂが架台斜面４ａと同一勾配となる台形状の部材であって、上下面にテフロン（登録商標）板を貼着する。
【００１５】
梁材６は、例えば２枚の溝型鋼のウェブを背中合せにしてその間隔を若干空けて配置製作するもので、この間隙に緊結鋼材８を挿通する。緊結鋼材８は全ねじタイプのＰＣ鋼棒が望ましく、梁材上面及び分割床版下面に支圧板８ａを設け、ナット８ｂを螺合して梁材６と分割床版２を連結する。なお分割床版２には予め鋼材挿通用の孔部を穿設しておく。
【００１６】
上述した床版分離装置１は分割床版２の適宜箇所に複数配置し、これらを同時に作動させて分離作業を実施するものであるが、その配置の一例を図３に示す。図３は床版分離装置を取り付けた橋梁床版の断面図である。主桁１２上に架設されたコンクリート製の旧床版には橋軸直角方向に切れ目を入れて細長い１枚の分割床版２を形成する。主桁１２の上面と分割床版２はジベル筋等で接続しているので、これを解放した後、一対の床版分離装置１，１を橋軸方向に平行に配置する。
【００１７】
挿通する緊結鋼材８で梁材６を分割床版２と連結した後、各ジャッキ９を連動しながら伸長し、送りコマ５を梁材６及び架台斜面４ａに接触させながら移動させる。この時送りコマ５は図４に示すように架台斜面４ａに沿って上昇するので梁材６の両端部が押し上げられ、従って緊結鋼材８により連結された分割床版２も同時に引き上げられる。
【００１８】
ジャッキ９による送りコマ５の押出長さに比べ、梁材６の上昇率はごく僅かであるため、各ジャッキ９の伸長度合いに若干の差が生じても梁材６の高さには殆ど差が見られない。即ち均等な分離作業が容易に達成し得る。
【００１９】
又楔型の押し上げ装置を用いると、一般により少ないジャッキ力で必要な押し上げ力を付与することが可能である。例えば特公平４−５４００２号公報には、橋梁の支承を修理交換するための楔型のジャッキアップ装置が開示されているが、楔勾配を２．３°〜８．５°とし、摩擦係数をμ＝０．０７とすれば、必要な鉛直荷重に対して、その１／２〜１／５程度の水平力で押し上げが可能とする実験結果が記載されている。なお、本発明の床版分離装置１の場合には架台斜面４ａの勾配は２０°以下が望ましく、その場合の摩擦係数はμ＝０．１以下が望ましい。
【００２０】
ジャッキ９押し出しにより主桁１２からの分離を確認した後、分割床版２を再度主桁１２上に降ろし、その後床版分離装置１を移動する。分割床板２に穿設した緊結鋼材８挿通用の孔部を利用して、これに図示しない吊具を取り付け、クレーン等により撤去を完了する。
【００２１】
【発明の効果】
以上説明したように、この発明の床版分離装置は、分割床版と一体になる梁材を楔状滑り架台に載置する送りコマの作用で押し上げる構造であるので、ジャッキの荷重が小さいものでも床版を主桁から押し上げ分離する作業が可能となり、しかもジャッキによる送りコマの押出長さに比べ、梁材の上昇率はごく僅かであるため、ジャッキの長さ調整を頻繁に行なわなくとも均等に床版を引き上げることが可能となる。
【図面の簡単な説明】
【図１】床版分離装置の平面図である。
【図２】図１のII−II断面を示す断面図である。
【図３】床版分離装置を取り付けた橋梁床版の断面図である。
【図４】分割床版引き上げ時の床版分離装置の断面図である。
【図５】従来の床版分離装置の斜視図である。
【符号の説明】
１  床版分離装置
２  分割床版
３  床版
４  楔状滑り架台
５  送りコマ
６  梁材
７  反力架台
８  緊結鋼材
９  ジャッキ
【図１】
0003695716.tif 000002
【図２】
0003695716.tif 000003
【図３】
0003695716.tif 000004
【図４】
0003695716.tif 000005
【図５】
0003695716.tif 000006